【手続補正書】
【提出日】平成27年8月25日(2015.8.25)
【手続補正１】
【補正対象書類名】明細書
【補正対象項目名】０００６
【補正方法】変更
【補正の内容】
【０００６】
上記の目的を達成するために第１の発明に係る決済サーバは、利用者の携帯情報端末毎に登録したサービスＩＤ、パスワード、及びアプリＩＤを含む利用者情報を利用者ＩＤと対応付けて記憶した利用者情報記憶手段と、支払い請求情報を発行する各企業側から、前記利用者のサービスＩＤ及びパスワードと共に、前記企業側で前記利用者を識別するための顧客識別情報の入力を受け付ける顧客識別情報受付手段と、前記顧客識別情報受付手段によって受け付けた前記顧客識別情報を、前記利用者情報記憶手段に記憶され、かつ、前記顧客識別情報と共に入力されたサービスＩＤ及びパスワードを含む前記利用者情報に登録する顧客情報登録手段と、各企業側から、前記利用者に対する前記支払い請求情報及び前記利用者の前記顧客識別情報の入力を受け付ける請求情報受付手段と、前記請求情報受付手段によって受け付けた前記顧客識別情報に対応する利用者ＩＤを、前記利用者情報記憶手段から検索する第１利用者ＩＤ検索手段と、前記第１利用者ＩＤ検索手段で検索された利用者ＩＤと、前記請求情報受付手段によって受け付けた前記支払い請求情報とを対応付けた請求管理情報を作成し、請求管理情報記憶手段に登録する請求管理情報登録手段と、前記携帯情報端末から、サービスＩＤ、パスワード、及びアプリＩＤを認証情報として受け付ける認証情報受付手段と、前記認証情報受付手段によって受け付けた前記認証情報と、前記利用者情報記憶手段に記憶された前記利用者情報とを照合して、認証を行う認証手段と、前記認証手段によって認証が成功した場合、前記利用者情報に対応付けられた利用者ＩＤを含む認証結果情報を、前記携帯情報端末へ送信する認証結果送信手段と、前記認証手段によって認証が成功した前記携帯情報端末から、前記利用者ＩＤを含む請求情報一覧要求を受け付けると、前記利用者ＩＤに対応する前記請求管理情報を、前記請求管理情報記憶手段から全て検索する請求管理情報検索手段と、前記請求管理情報検索手段によって検索された各請求管理情報に含まれる前記支払い請求情報を、前記携帯情報端末へ送信する支払い請求情報送信手段と、前記請求管理情報検索手段によって検索された各請求管理情報に含まれる前記支払い請求情報のうちの少なくとも１つの指定を受け付ける支払請求情報指定受付手段と、を含んで構成されている。
【手続補正２】
【補正対象書類名】明細書
【補正対象項目名】０００７
【補正方法】変更
【補正の内容】
【０００７】
第２の発明に係るプログラムは、利用者の携帯情報端末毎に登録したサービスＩＤ、パスワード、及びアプリＩＤを含む利用者情報を利用者ＩＤと対応付けて記憶した利用者情報記憶手段を含むコンピュータを、支払い請求情報を発行する各企業側から、前記利用者のサービスＩＤ及びパスワードと共に、前記企業側で前記利用者を識別するための顧客識別情報の入力を受け付ける顧客識別情報受付手段、前記顧客識別情報受付手段によって受け付けた前記顧客識別情報を、前記利用者情報記憶手段に記憶され、かつ、前記顧客識別情報と共に入力されたサービスＩＤ及びパスワードを含む前記利用者情報に登録する顧客情報登録手段、各企業側から、前記利用者に対する前記支払い請求情報及び前記利用者の前記顧客識別情報の入力を受け付ける請求情報受付手段、前記請求情報受付手段によって受け付けた前記顧客識別情報に対応する利用者ＩＤを、前記利用者情報記憶手段から検索する第１利用者ＩＤ検索手段、前記第１利用者ＩＤ検索手段で検索された利用者ＩＤと、前記請求情報受付手段によって受け付けた前記支払い請求情報とを対応付けた請求管理情報を作成し、請求管理情報記憶手段に登録する請求管理情報登録手段、前記携帯情報端末から、サービスＩＤ、パスワード、及びアプリＩＤを認証情報として受け付ける認証情報受付手段、前記認証情報受付手段によって受け付けた前記認証情報と、前記利用者情報記憶手段に記憶された前記利用者情報とを照合して、認証を行う認証手段、前記認証手段によって認証が成功した場合、前記利用者情報に対応付けられた利用者ＩＤを含む認証結果情報を、前記携帯情報端末へ送信する認証結果送信手段、前記認証手段によって認証が成功した前記携帯情報端末から、前記利用者ＩＤを含む請求情報一覧要求を受け付けると、前記利用者ＩＤに対応する前記請求管理情報を、前記請求管理情報記憶手段から全て検索する請求管理情報検索手段、前記請求管理情報検索手段によって検索された各請求管理情報に含まれる前記支払い請求情報を、前記携帯情報端末へ送信する支払い請求情報送信手段、前記請求管理情報検索手段によって検索された各請求管理情報に含まれる前記支払い請求情報のうちの少なくとも１つの指定を受け付ける支払請求情報指定受付手段として機能させるためのプログラムである。
【手続補正３】
【補正対象書類名】明細書
【補正対象項目名】０００８
【補正方法】変更
【補正の内容】
【０００８】
第１の発明及び第２の発明によれば、顧客識別情報受付手段によって、支払い請求情報を発行する各企業側から、前記利用者のサービスＩＤ及びパスワードと共に、前記企業側で前記利用者を識別するための顧客識別情報の入力を受け付ける。顧客情報登録手段によって、前記顧客識別情報受付手段によって受け付けた前記顧客識別情報を、前記利用者情報記憶手段に記憶され、かつ、前記顧客識別情報と共に入力されたサービスＩＤ及びパスワードを含む前記利用者情報に登録する。
【手続補正４】
【補正対象書類名】特許請求の範囲
【補正対象項目名】全文
【補正方法】変更
【補正の内容】
【特許請求の範囲】
【請求項１】
利用者の携帯情報端末毎に登録したサービスＩＤ、パスワード、及びアプリＩＤを含む利用者情報を利用者ＩＤと対応付けて記憶した利用者情報記憶手段と、
支払い請求情報を発行する各企業側から、前記利用者のサービスＩＤ及びパスワードと共に、前記企業側で前記利用者を識別するための顧客識別情報の入力を受け付ける顧客識別情報受付手段と、
前記顧客識別情報受付手段によって受け付けた前記顧客識別情報を、前記利用者情報記憶手段に記憶され、かつ、前記顧客識別情報と共に入力されたサービスＩＤ及びパスワードを含む前記利用者情報に登録する顧客情報登録手段と、
各企業側から、前記利用者に対する前記支払い請求情報及び前記利用者の前記顧客識別情報の入力を受け付ける請求情報受付手段と、
前記請求情報受付手段によって受け付けた前記顧客識別情報に対応する利用者ＩＤを、前記利用者情報記憶手段から検索する第１利用者ＩＤ検索手段と、
前記第１利用者ＩＤ検索手段で検索された利用者ＩＤと、前記請求情報受付手段によって受け付けた前記支払い請求情報とを対応付けた請求管理情報を作成し、請求管理情報記憶手段に登録する請求管理情報登録手段と、
前記携帯情報端末から、サービスＩＤ、パスワード、及びアプリＩＤを認証情報として受け付ける認証情報受付手段と、
前記認証情報受付手段によって受け付けた前記認証情報と、前記利用者情報記憶手段に記憶された前記利用者情報とを照合して、認証を行う認証手段と、
前記認証手段によって認証が成功した場合、前記利用者情報に対応付けられた利用者ＩＤを含む認証結果情報を、前記携帯情報端末へ送信する認証結果送信手段と、
前記認証手段によって認証が成功した前記携帯情報端末から、前記利用者ＩＤを含む請求情報一覧要求を受け付けると、前記利用者ＩＤに対応する前記請求管理情報を、前記請求管理情報記憶手段から全て検索する請求管理情報検索手段と、
前記請求管理情報検索手段によって検索された各請求管理情報に含まれる前記支払い請求情報を、前記携帯情報端末へ送信する支払い請求情報送信手段と、
前記携帯情報端末から、前記請求管理情報検索手段によって検索された各請求管理情報に含まれる前記支払い請求情報のうちの少なくとも１つの指定を受け付ける支払請求情報指定受付手段と、
を含む決済サーバ。
【請求項２】
支払い決済を行う決済装置から、前記支払い請求情報を含む収納済み通知を受信すると、前記支払い請求情報を含む前記請求管理情報を、前記請求管理情報記憶手段から検索する決済済み情報検索手段と、
前記決済済み情報検索手段によって検索された前記請求管理情報を更新する請求管理情報更新手段と、
を更に含む請求項１記載の決済サーバ。
【請求項３】
請求項１又は２に記載の決済サーバと、
自端末のサービスＩＤ、パスワード、及びアプリＩＤを認証情報として前記決済サーバへ送信する認証情報送信手段、
前記決済サーバから、前記認証情報に対する前記認証結果情報を受信する認証結果受信手段、
前記認証情報による認証が成功した場合、前記認証結果情報に含まれる前記利用者ＩＤを含む請求情報一覧要求を前記決済サーバへ送信する一覧要求送信手段、
前記請求情報一覧要求に対して前記決済サーバから送信される前記支払い請求情報の各々を受信する支払い請求情報受信手段、及び
前記支払い請求情報受信手段によって受信した前記支払い請求情報の各々のうちの少なくとも１つの指定を、前記決済サーバへ送信する指定送信手段
を含む携帯情報端末と、
を含む決済システム。
【請求項４】
利用者の携帯情報端末毎に登録したサービスＩＤ、パスワード、及びアプリＩＤを含む利用者情報を利用者ＩＤと対応付けて記憶した利用者情報記憶手段を含むコンピュータを、
支払い請求情報を発行する各企業側から、前記利用者のサービスＩＤ及びパスワードと共に、前記企業側で前記利用者を識別するための顧客識別情報の入力を受け付ける顧客識別情報受付手段、
前記顧客識別情報受付手段によって受け付けた前記顧客識別情報を、前記利用者情報記憶手段に記憶され、かつ、前記顧客識別情報と共に入力されたサービスＩＤ及びパスワードを含む前記利用者情報に登録する顧客情報登録手段、
各企業側から、前記利用者に対する前記支払い請求情報及び前記利用者の前記顧客識別情報の入力を受け付ける請求情報受付手段、
前記請求情報受付手段によって受け付けた前記顧客識別情報に対応する利用者ＩＤを、前記利用者情報記憶手段から検索する第１利用者ＩＤ検索手段、
前記第１利用者ＩＤ検索手段で検索された利用者ＩＤと、前記請求情報受付手段によって受け付けた前記支払い請求情報とを対応付けた請求管理情報を作成し、請求管理情報記憶手段に登録する請求管理情報登録手段、
前記携帯情報端末から、サービスＩＤ、パスワード、及びアプリＩＤを認証情報として受け付ける認証情報受付手段、
前記認証情報受付手段によって受け付けた前記認証情報と、前記利用者情報記憶手段に記憶された前記利用者情報とを照合して、認証を行う認証手段、
前記認証手段によって認証が成功した場合、前記利用者情報に対応付けられた利用者ＩＤを含む認証結果情報を、前記携帯情報端末へ送信する認証結果送信手段、
前記認証手段によって認証が成功した前記携帯情報端末から、前記利用者ＩＤを含む請求情報一覧要求を受け付けると、前記利用者ＩＤに対応する前記請求管理情報を、前記請求管理情報記憶手段から全て検索する請求管理情報検索手段、
前記請求管理情報検索手段によって検索された各請求管理情報に含まれる前記支払い請求情報を、前記携帯情報端末へ送信する支払い請求情報送信手段、及び
前記携帯情報端末から、前記請求管理情報検索手段によって検索された各請求管理情報に含まれる前記支払い請求情報のうちの少なくとも１つの指定を受け付ける支払請求情報指定受付手段
として機能させるためのプログラム。